(57)【要約】【課題】菓子類や装飾品や日用品などを幅広く収容する、上面板などを切断して大きく開口する、板紙製の各種形状の紙箱に設ける切れ目線であって、切断方向に対して斜め又は横向きにめくるように引張って切断する時に、切れ目ａ  ，ａの間のつなぎｄに発生した斜め又は横向きの引裂きが、そのまま次の斜めの切れ目ｂ又は平行な切れ目ｃに捕まって、次々に連続して線状の切れ目ａを切断することができる、しかもつなぎｄ部分に紙むけなどが細長く残らないために、開口後の体裁を損なう恐れがない紙箱の切れ目線形状を提供する。【解決手段】本発明は、それぞれの線状の切れ目ａの切断方向上流側の先端に、短小の斜めの切れ目ｂを繋いで、又は短小の斜めの切れ目ｂと短小の平行な切れ目ｃとを順に繋いで、それぞれつなぎｄを介して１列に並べた紙箱の切れ目線形状である。【選択図】図１
2004224368.tif 000002
【特許請求の範囲】
【請求項１】
上面板などを切断して大きく開口する、板紙製の各種形状の紙箱に設ける切れ目線であって、それぞれの線状の切れ目ａの切断方向上流側の先端に、引張る方向下流側に斜めの、短小の斜めの切れ目ｂを繋いだ、多数の屈曲線状の切れ目線２  ，２  ，２  ，…を、それぞれつなぎｄを介して１列に並べたことを特徴とする紙箱の切れ目線形状。
【請求項２】
上面板などを切断して大きく開口する、板紙製の各種形状の紙箱に設ける切れ目線であって、それぞれの線状の切れ目ａの切断方向上流側の先端に、引張る方向下流側に斜めの、短小の斜めの切れ目ｂと、線状の切れ目ａに平行な、短小の平行な切れ目ｃとを順に繋いだ、多数の屈曲線状の切れ目線３  ，３  ，３  ，…を、それぞれつなぎｄを介して１列に並べたことを特徴とする紙箱の切れ目線形状。
【発明の詳細な説明】
【０００１】
【発明の属する技術分野】
本発明は、菓子類や装飾品や日用品などを幅広く収容する、上面板などを切断して大きく開口する、板紙製の各種形状の紙箱に設ける切れ目線であって、切断方向に対して斜め又は横向きにめくるように引張って切断する時に、つなぎｄ部分に紙むけなどが細長く残らない紙箱の切れ目線形状に関する。
【０００２】
【従来の技術】
従来から、菓子類や装飾品や日用品などを幅広く収容する、例えば図２  ，図３に示すような、上面板などを切断して大きく開口する、板紙製の各種形状の紙箱２０  ，３０などが、一般に広く用いられている。
【０００３】
また従来から、通常の板紙製の各種形状の紙箱に設ける切れ目線であって、図４Ａに示すような、多数の長さが３〜１５ｍｍ程度の線状の切れ目ａ  ，ａ  ，ａ  ，…を、それぞれ間隔が０．５〜４ｍｍ程度のつなぎｄを介して１列に並べた、ミシン目線と通称する紙箱の切れ目線形状が、一般に広く用いられている。
【０００４】
ここで、多数の線状の切れ目ａ  ，ａ  ，ａ  ，…を１列に並べた、切れ目ａ  ，ａの間のつなぎｄについては、紙箱の展示や保管や運搬などの取扱い時に切断する恐れがなくて、切れ目ａ  ，ａを指で引張った時に切断し易いつなぎｄであって、２００〜４００ｇ／ｍ２  程度の通常の板紙の、抄紙方向に平行で引裂かれ易い部分には、それぞれ間隔が１．５〜４ｍｍ程度のつなぎｄを介して、また抄紙方向に直角で引裂かれ難い部分には、それぞれ間隔が０．５〜２ｍｍ程度のつなぎｄを介して、多数の長さが３〜１５ｍｍ程度の線状の切れ目ａ  ，ａ  ，ａ  ，…を、１列に並べて設けることができる。
【０００５】
【発明が解決しようとする課題】
ところが従来の、図４Ａに示すような、ミシン目線と通称する紙箱の切れ目線形状については、上面板などを切断して大きく開口する、前述した図２  ，図３に示す板紙製の各種形状の紙箱２０  ，３０などに設けた場合に、例えば図２に示す紙箱２０の上面板に設けた切れ目ａ  ，ａ  ，ａ  ，…のように、（  図４Ｂに矢印で示す  ）切断方向に従ってめくるように引張って切断する時には、図４Ｂに示すように、切れ目ａ  ，ａの間のつなぎｄに発生した引裂きが、そのまま次の線状の切れ目ａに捕まって、次々に連続して切断することができるものの、例えば図２に示す紙箱２０の前面蓋板に設けた斜めの切れ目線２  ，２  ，２  ，…のように、つまみ片４を指で摘んで、（  図４Ｃに矢印で示す  ）切断方向に対して斜めにめくるように引張って切断する時には、図４Ｃに示すように、切れ目ａ  ，ａの間のつなぎｄに発生した引裂きが、大きく曲って次の線状の切れ目ａに捕まって、次々に連続して切断することができたとしても、つなぎｄ部分の上層又は特に下層が（  図４Ｃに破線で示す  ）紙むけなどを起して、この紙むけなどが、多数の長さが３〜１５ｍｍ程度の線状の切れ目ａ  ，ａ  ，ａ  ，…の間の、それぞれのつなぎｄ部分に細長く残って、開口後の板紙製の各種形状の紙箱２０  ，３０などの体裁を損なうことが問題であった。
【０００６】
そこで、本発明の目的は、菓子類や装飾品や日用品などを幅広く収容する、上面板などを切断して大きく開口する、板紙製の各種形状の紙箱に設ける切れ目線であって、切断方向に対して斜め又は横向きにめくるように引張って切断する時に、切れ目ａ  ，ａの間のつなぎｄに発生した斜め又は横向きの引裂きが、そのまま次の斜めの切れ目ｂ又は平行な切れ目ｃに捕まって、次々に連続して線状の切れ目ａを切断することができる、しかもつなぎｄ部分に紙むけなどが細長く残らないために、開口後の体裁を損なう恐れがない紙箱の切れ目線形状を提供することにある。
【０００７】
【課題を解決するための手段】
本発明の紙箱の切れ目線形状は、例えば図２に示すような、上面板などを切断して大きく開口する、板紙製の各種形状の紙箱に設ける切れ目線であって、図１Ａ  ，Ｃに示すように、それぞれの線状の切れ目ａの切断方向（  図１Ａ  ，Ｃでは左から右  ）上流側の先端に、（  図１Ｃに矢印で示す  ）引張る方向下流側に斜めの、短小の斜めの切れ目ｂを繋いだ、多数の屈曲線状の切れ目線２  ，２  ，２  ，…を、それぞれつなぎｄを介して１列に並べたことを特徴とする紙箱の切れ目線形状である。
【０００８】
本発明の紙箱の切れ目線形状おいては、それぞれの線状の切れ目ａの切断方向上流側の先端に、引張る方向下流側に斜めの、短小の斜めの切れ目ｂを繋いだ、多数の屈曲線状の切れ目線２  ，２  ，２  ，…を、それぞれつなぎｄを介して１列に並べたことによって、例えば図２に示す紙箱２０の前面蓋板に設けた斜めの切れ目線２  ，２  ，２  ，…のように、つまみ片４を指で摘んで、（  図１Ｃに矢印で示す）切断方向に対して斜めにめくるように引張って切断する時に、図１Ｃに示すように、切れ目ａ  ，ａの間のつなぎｄに発生した斜めの引裂きが、そのまま次の斜めの切れ目ｂに捕まって、次々に連続して線状の切れ目ａを切断することができる、しかもつなぎｄ部分の上層又は特に下層が、斜めの引裂きと同時に毛羽立ちや紙むけなどを起したとしても、この紙むけなどが、斜めの引裂きと同時に次の斜めの切れ目ｂに捕まって、つなぎｄ部分に紙むけなどが細長く残らないために、上面板などを切断して大きく開口した、図２Ｂに示す紙箱２０の体裁を損なう恐れがない紙箱の切れ目線形状を提供することができる。
【０００９】
また、本発明の紙箱の切れ目線形状は、例えば図２  ，図３に示すような、上面板などを切断して大きく開口する、板紙製の各種形状の紙箱に設ける切れ目線であって、図１Ｂ  ，Ｄに示すように、それぞれの線状の切れ目ａの切断方向（  図１Ｂ  ，Ｄでは左から右  ）上流側の先端に、（  図１Ｄに矢印で示す  ）引張る方向下流側に斜めの、短小の斜めの切れ目ｂと、線状の切れ目ａに平行な、短小の平行な切れ目ｃとを順に繋いだ、多数の屈曲線状の切れ目線３  ，３  ，３  ，…を、それぞれつなぎｄを介して１列に並べたことを特徴とする紙箱の切れ目線形状である。
【００１０】
本発明の紙箱の切れ目線形状おいては、それぞれの線状の切れ目ａの切断方向上流側の先端に、引張る方向下流側に斜めの、短小の斜めの切れ目ｂと、線状の切れ目ａに平行な、短小の平行な切れ目ｃとを順に繋いだ、多数の屈曲線状の切れ目線３  ，３  ，３  ，…を、それぞれつなぎｄを介して１列に並べたことによって、例えば図２に示す紙箱２０の前面蓋板に設けた斜めの切れ目線２  ，２  ，２  ，…のように、また例えば図３に示す紙箱３０の前面蓋板に設けた横向きの切れ目線３  ，３  ，３  ，…のように、それぞれのつまみ片４を指で摘んで、（  図１Ｄに矢印で示す  ）切断方向に対して斜め又は横向きにめくるように引張って切断する時に、図１Ｄに示すように、切れ目ａ  ，ａの間のつなぎｄに発生した斜め又は横向きの引裂きが、そのまま次の斜めの切れ目ｂ又は平行な切れ目ｃに捕まって、次々に連続して線状の切れ目ａを切断することができる、しかもつなぎｄ部分の上層又は特に下層が、斜め又は横向きの引裂きと同時に毛羽立ちや紙むけなどを起したとしても、この紙むけなどが、斜め又は横向きの引裂きと同時に次の斜めの切れ目ｂ又は平行な切れ目ｃに捕まって、つなぎｄ部分に紙むけなどが細長く残らないために、それぞれ上面板などを切断して大きく開口した、図２Ｂ  ，図３Ｂに示す紙箱２０  ，３０の体裁を損なう恐れがない紙箱の切れ目線形状を提供することができる。
【００１１】
【発明の実施の形態】
本発明の紙箱の切れ目線形状における、それぞれの線状の切れ目ａの切断方向上流側の先端に順に繋いだ、短小の斜めの切れ目ｂと短小の平行な切れ目ｃとについては、前述したつなぎｄの間隔とほゞ同一の、長さが１〜４ｍｍで斜め４５度程度の短小の斜めの切れ目ｂと、長さが１〜３ｍｍ程度の短小の平行な切れ目ｃとを、それぞれの長さが３〜１５ｍｍ程度の線状の切れ目ａの切断方向上流側の先端に順に繋いで、前述した板紙の抄紙方向などを配慮して、それぞれ切れ目ａ  ，ａの間の、間隔が１．５〜４ｍｍ程度又は０．５〜２ｍｍ程度のつなぎｄを介して、１列に並べて設けることができる。
【００１２】
【実施例】
＜実施例１＞
図１Ａは、本発明の実施例１における、紙箱の切れ目線形状の平面図であって、図１Ｃは、紙箱の切れ目線形状の、切断した状態を示す斜視説明図である。
また図２Ａ  ，Ｂは、本発明の実施例１における、紙箱の切れ目線形状を設けた紙箱２０の、開口前と開口後との状態を示す斜視図である。
【００１３】
すなわち、表面に美麗な印刷をした３５０ｇ／ｍ２  の裏白コートボール紙製の、チョコレート菓子などを収容する、図２Ａに示す縦と横と高さとが８５×１３５×４２ｍｍの直方体状の紙箱２０の、切断して大きく開口する前面蓋板から上面板にかけて設ける、つまみ片４から始まる左右の２列の切れ目線であって、
つまみ片４の近傍と上面板とには、線状の切れ目ａ  ，ａ  ，ａ  ，…を１列に並べた、図４Ａに示す通常の２列の縦のミシン目線を設けて、この間の前面蓋板には、それぞれの長さが６ｍｍの線状の切れ目ａの切断方向上流側の先端に、引張る方向下流側に斜めの、長さが２ｍｍで斜め４５度の短小の斜めの切れ目ｂを繋いだ、多数の屈曲線状の切れ目線２  ，２  ，２  ，…を、左右方向のコートボール紙の抄紙方向などを配慮して、それぞれ切れ目ａ  ，ａの間の、間隔が２ｍｍのつなぎｄを介して１列に並べた、図１Ａに示す本実施例の２列の斜めの紙箱の切れ目線形状を、前述した直方体状の紙箱２０の打抜型を用いた打抜工程で、紙箱２０の作製と同時に設けた。
【００１４】
次に、図２Ａに示す直方体状の紙箱２０の、前面蓋板のつまみ片４に指を掛けて、図２Ｂに示すように、つまみ片４から始まる左右の２列の切れ目線をめくるように引張って切断して、前面蓋板から上面板にかけて大きく開口したところ、
つまみ片４の近傍と上面板とに設けた、図４Ａに示す通常の２列の縦のミシン目線については、（  図４Ｂに矢印で示す  ）切断方向に従ってめくるように引張って切断するために、図４Ｂに示すように、切れ目ａ  ，ａの間のつなぎｄに発生した引裂きが、そのまま次の線状の切れ目ａに捕まって、次々に連続して切断することができるものであって、この間の前面蓋板に設けた、図１Ａに示す本実施例の２列の斜めの紙箱の切れ目線形状については、（  図１Ｃに矢印で示す  ）切断方向に対して斜めにめくるように引張って切断するために、図１Ｃに示すように、切れ目ａ  ，ａの間のつなぎｄに発生した斜めの引裂きが、そのまま次の斜めの切れ目ｂに捕まって、次々に連続して線状の切れ目ａを切断することができるものであって、しかもつなぎｄ部分が毛羽立ちや紙むけなどを起したとしても、この紙むけなどが、斜めの引裂きと同時に次の斜めの切れ目ｂに捕まって、つなぎｄ部分に紙むけなどが細長く残らないために、前面蓋板から上面板にかけて大きく開口した、図２Ｂに示す紙箱２０の体裁を損なう恐れがない紙箱の切れ目線形状を得ることができた。
【００１５】
＜実施例２＞
図１Ｂは、本発明の実施例２における、紙箱の切れ目線形状の平面図であって、図１Ｄは、紙箱の切れ目線形状の、切断した状態を示す斜視説明図である。
また図３Ａ  ，Ｂは、本発明の実施例２における、紙箱の切れ目線形状を設けた紙箱３０の、開口前と開口後との状態を示す斜視図である。
【００１６】
すなわち、表面に美麗な印刷をして、裏面に耐水耐油性のニスコーティングをした３５０ｇ／ｍ２  の裏白コートボール紙製の、チョコレート菓子などを収容する、図３Ａに示す縦と横と高さとが８５×１３５×３５ｍｍの直方体状の紙箱３０の、切断して大きく開口する前面蓋板から上面蓋板にかけて設ける、つまみ片４から始まる左右の２本の切れ目線であって、
つまみ片４の近傍には、線状の切れ目ａ  ，ａ  ，ａを１列に並べた、図４Ａに示す通常の２本の縦のミシン目線を設けて、上面蓋板を連設した前面蓋板の上辺には、それぞれの長さが６ｍｍの線状の切れ目ａの切断方向上流側の先端に、引張る方向下流側に斜めの、長さが２ｍｍで斜め４５度の短小の斜めの切れ目ｂと、線状の切れ目ａに平行な、長さが１．２ｍｍの短小の平行な切れ目ｃとを順に繋いだ、縦のミシン目線に連続した多数の屈曲線状の切れ目線３  ，３  ，３  ，…を、左右方向のコートボール紙の抄紙方向などを配慮して、それぞれ切れ目ａ  ，ａの間の、間隔が２．５ｍｍのつなぎｄを介して１列に並べた、図１Ｂに示す本実施例の２本の横向きの紙箱の切れ目線形状を、前述した直方体状の紙箱３０の打抜型を用いた打抜工程で、紙箱３０の作製と同時に設けた。
【００１７】
次に、図３Ａに示す直方体状の紙箱３０の、前面蓋板のつまみ片４に指を掛けて、図３Ｂに示すように、つまみ片４から始まる左右の２本の切れ目線をめくるように引張って切断して、前面蓋板から上面蓋板にかけて大きく開口（  上面板に大きな開口が設けてある  ）したところ、
つまみ片４の近傍に設けた、図４Ａに示す通常の２本の縦のミシン目線については、実施例１と同様に、切れ目ａ  ，ａの間のつなぎｄに発生した引裂きが、そのまま次の線状の切れ目ａに捕まって、次々に連続して切断することができるものであって、上面蓋板を連設した前面蓋板の上辺に設けた、図１Ｂに示す本実施例の２本の横向きの紙箱の切れ目線形状については、（  図１Ｄに矢印で示す  ）切断方向に対して横向きにめくるように引張って切断するために、図１Ｄに示すように、切れ目ａ  ，ａの間のつなぎｄに発生した横向きの引裂きが、そのまま次の斜めの切れ目ｂ又は平行な切れ目ｃに捕まって、次々に連続して線状の切れ目ａを切断することができるものであって、しかもつなぎｄ部分の、特に耐水耐油性のニスコーティングをした下層が毛羽立ちや紙むけなどを起し易いとしても、この紙むけなどが、横向きの引裂きと同時に次の斜めの切れ目ｂ又は平行な切れ目ｃに捕まって、つなぎｄ部分に紙むけなどが細長く残らないために、前面蓋板から上面蓋板にかけて大きく開口した、図３Ｂに示す紙箱３０の体裁を損なう恐れがない紙箱の切れ目線形状を得ることができた。
【００１８】
【発明の効果】
以上、実施例ほかに示すとおり、本発明の紙箱の切れ目線形状においては、菓子類や装飾品や日用品などを幅広く収容する、上面板などを切断して大きく開口する、板紙製の各種形状の紙箱に設ける切れ目線であって、切断方向に対して斜め又は横向きにめくるように引張って切断する時に、切れ目ａ  ，ａの間のつなぎｄに発生した斜め又は横向きの引裂きが、そのまま次の斜めの切れ目ｂ又は平行な切れ目ｃに捕まって、次々に連続して線状の切れ目ａを切断することができる、しかもつなぎｄ部分に紙むけなどが細長く残らないために、開口後の体裁を損なう恐れがない紙箱の切れ目線形状を提供することができる。
【図面の簡単な説明】
【図１】Ａ  ，Ｂは、本発明の実施例１  ，実施例２における紙箱の切れ目線形状の平面図であって、図１Ｃ  ，Ｄは、紙箱の切れ目線形状の切断した状態を示す斜視説明図である。
【図２】Ａ  ，Ｂは、本発明の実施例１における紙箱の切れ目線形状を設けた紙箱２０の開口前と開口後との状態を示す斜視図である。
【図３】Ａ  ，Ｂは、本発明の実施例２における紙箱の切れ目線形状を設けた紙箱３０の開口前と開口後との状態を示す斜視図である。
【図４】Ａは、従来の紙箱の切れ目線形状の平面図であって、Ｂ  ，Ｃは、従来の紙箱の切れ目線形状の切断した状態を示す斜視説明図である。
【符号の説明】
ａ…線状の切れ目
ｂ…斜めの切れ目
ｃ…平行な切れ目
ｄ…つなぎ
２  ，３…切れ目線
４…つまみ片
２０  ，３０…紙箱
【図１】
2004224368.tif 000003
【図２】
2004224368.tif 000004
【図３】
2004224368.tif 000005
【図４】
2004224368.tif 000006